(57)【特許請求の範囲】
【請求項１】
アノード及びカソード、並びに、前記アノードと前記カソードとの間に配設される電解質膜、を備え、
前記アノード及び前記カソードに燃料欠乏対策が施されており、
前記アノードに施された燃料欠乏対策は水電解触媒層であって、該水電解触媒層は、白金及び電解質成分を含むアノード触媒層と、前記アノード触媒層へ反応ガスを供給するアノード拡散層との間に配設されており、
前記カソードに施された燃料欠乏対策は、粒径０．３〜１００ｎｍのＰｔ ｂｌａｃｋ又はＰｔＲｕ ｂｌａｃｋと電解質成分とを含むカソード触媒層であって、前記カソード触媒層は、前記カソード触媒層へ反応ガスを供給するカソード拡散層に隣接して配設されることを特徴とする、燃料電池。
【請求項２】
アノード及びカソード、並びに、前記アノードと前記カソードとの間に配設される電解質膜、を備え、
前記アノード及び前記カソードに燃料欠乏対策が施されており、
前記アノードに施された燃料欠乏対策は水電解触媒層であって、該水電解触媒層は、白金及び電解質成分を含むアノード触媒層と、前記アノード触媒層へ反応ガスを供給するアノード拡散層との間に配設されており、
前記カソードに施された燃料欠乏対策は、カーボンに担持されたＩｒＯ２、白金、及び、電解質成分を含むカソード触媒層であって、前記カソード触媒層は、前記カソード触媒層へ反応ガスを供給するカソード拡散層に隣接して配設されており、
前記アノードへ供給される反応ガスが流通する流路の出口に近接した前記アノードの部位に対向する前記カソードの部位ほど前記ＩｒＯ２の濃度が高くなるように、カーボンに担持されたＩｒＯ２が分散されることを特徴とする、燃料電池。
【請求項３】
アノード及びカソード、並びに、前記アノードと前記カソードとの間に配設される電解質膜、を備え、
前記アノード及び前記カソードに燃料欠乏対策が施されており、
前記アノードに施された燃料欠乏対策は水電解触媒層であって、該水電解触媒層は、白金及び電解質成分を含むアノード触媒層と、前記アノード触媒層へ反応ガスを供給するアノード拡散層との間に配設されており、
前記カソードに施された燃料欠乏対策は、ＩｒＯ２含有層であって、該ＩｒＯ２含有層は、白金及び電解質成分を含むカソード触媒層と、前記カソード触媒層へ反応ガスを供給するカソード拡散層との間に配設されており、
前記ＩｒＯ２含有層内のＩｒＯ２は、カーボンに担持されており、
前記アノードへ供給される反応ガスが流通する流路の出口に近接した前記アノードの部位に対向する前記カソードの部位ほど前記ＩｒＯ２の濃度が高くなるように、カーボンに担持されたＩｒＯ２が分散されることを特徴とする、燃料電池。
【発明の詳細な説明】
【技術分野】
【０００１】
本発明は、燃料電池に関し、特に、燃料欠乏に起因する性能低下を抑制し得る燃料電池に関する。
【背景技術】
【０００２】
燃料電池は、電解質膜と、当該電解質膜の両側に配置される電極（アノード及びカソード）とを備える膜電極接合体（以下において、「ＭＥＡ（Membrane Electrode Assembly）」と記述する。）における電気化学反応により発生した電気エネルギーを、ＭＥＡの両側に配設されるセパレータを介して外部に取り出している。燃料電池の中でも、家庭用コージェネレーション・システムや自動車等に使用される固体高分子型燃料電池（以下において、「ＰＥＦＣ（Polymer Electrolyte Fuel Cell）」と記述する。）は、低温領域での運転が可能である。また、ＰＥＦＣは、高いエネルギー変換効率を示し、起動時間が短く、かつシステムが小型軽量であることから、電気自動車や携帯用電源の最適な動力源として注目されている。
【０００３】
ＰＥＦＣの単セルは、電解質膜、少なくとも触媒層を備えるカソード及びアノードを具備し、その理論起電力は１．２３Ｖである。しかし、かかる低起電力では、電気自動車等の動力源として不十分であるため、通常は、単セルを直列に積層して積層体を形成し、この積層体における積層方向の両端にエンドプレート等を配置して形成されるスタック形態のＰＥＦＣが使用されている。そして、接触抵抗を低減させる等の観点から、スタック形態のＰＥＦＣでは、その両端側から締結圧力が加えられている。
【０００４】
ＰＥＦＣにおける電気発生の源となる電気化学反応は、例えば以下の工程で進行する。まず、アノードへと届けられた水素は、触媒（例えば、白金担持カーボン等。以下、白金を「通常触媒」と記述することがある。）の存在下、水素イオンと電子とに分解される。
アノード側：Ｈ２ → ２Ｈ＋ ＋ ２ｅ−                          （式１）
そして、発生した水素イオン（以下、「プロトン」ということがある。）は、湿潤状態でイオン伝導性能を発現する電解質膜を通過して、カソードへと移動する。電解質膜はイオンのみを通過させる性質を有するため、発生した電子は電解質膜を通過することができず、外部の回路を通ってカソードへと移動する。燃料電池においては、かかる電子の移動により、電気が発生する。一方で、カソードへと届けられた酸素が、カソードへと移動してきたプロトン及び電子と反応することにより、水が生成される。
カソード側：２Ｈ＋ ＋ ２ｅ− ＋ (１／２)Ｏ２ → Ｈ２Ｏ        （式２）
【０００５】
ＰＥＦＣを作動させると、セル内部は様々なガス状態となるため、アノードが高電位状態（例えば、１．６Ｖ等の電位状態。以下において同じ。）に曝される虞がある。高電位状態になると、アノードの構成材料（例えば、白金、カーボン等）が劣化し、ＰＥＦＣの性能が低下するため、高電位時における材料劣化を抑制することが望まれる。
【０００６】
燃料欠乏時における材料劣化等を抑制することにより燃料電池の性能を向上させることを目的とした技術は、これまでにいくつか開示されてきている。例えば、特許文献１には、水素欠乏時にアノード触媒の担体が腐食されるのを防止するため、電極触媒に水電解触媒を混合する技術が開示されており、この技術によれば、燃料電池の電池反転に対する耐性をより強力にすることができる、としている。
【０００７】
また、特許文献２には、高分子固体電解質形燃料電池の燃料極において、高分子固体電解質膜に接し、燃料電池反応を進行させる少なくとも１層の反応層と、拡散層に接し、燃料極中の水を電気分解する少なくとも１層の水分解層と、からなることを特徴とする高分子固体電解質形燃料電池の燃料極に関する技術が開示されている。この技術によれば、燃料の欠乏が生じても電極特性の低下を起こし難い高分子固体電解質形燃料電池の燃料極を提供できる、としている。なお、特許文献２における「高分子固体電解質形燃料電池」は上記ＰＥＦＣに相当し、「燃料極」は上記アノードに相当する。
【０００８】
また、特許文献３には、耐腐食性の高い導電性金属酸化物を用いた触媒金属担体に触媒金属が担持されてなる金属担持触媒を有する高分子型燃料電池用触媒担持電極に関する技術が開示されている。この技術によれば、カソードが高電位状態に曝された場合であっても発電性能を保つこと等が可能になる、としている。さらに、特許文献４には、少なくとも触媒金属粒子と電子導電性の異なる２種類以上のカーボンを主成分とする触媒担体とプロトン導電性部材とより構成され、触媒担体のなかで最も電子導電性が高い触媒担体が最も多く含まれていることを特徴とする電極等に関する技術が開示されている。この技術によれば、カーボンの腐食を抑制し、電極性能の劣化を防止した電極が提供される、としている。
【０００９】
加えて、特許文献５には、導電性担体に触媒金属が担持されてなる触媒金属担持導電性部材と、電解質ポリマーとを含む電極触媒層を含む触媒担持電極であって、電極触媒層が、撥水材を含有させた導電性担体および／または電解質ポリマーを含有することを特徴とする触媒担持電極に関する技術が開示されている。この技術によれば、撥水材層の犠牲的分解によって撥水材が経時的に放出され、触媒層のガスや水の通過性が確保される。これによって触媒層の水による腐食を効果的に防止することができる、としている。さらに、特許文献６には、白金黒と担持された触媒との混合物を含むカソード触媒層を含む、膜電極アセンブリに関する技術が開示されている。この技術によれば、電池性能を維持しながら、劣化が少なく寿命の長い燃料電池が提供される、としている。なお、特許文献６における「膜電極アセンブリ」は上記ＭＥＡに相当する。
【特許文献１】特表２００３−５０８８７７号公報
【特許文献２】特開２００４−２２５０３号公報
【特許文献３】特開２００５−１４９７４２号公報
【特許文献４】特開２００５−１３５６７１号公報
【特許文献５】特開２００５−１４１９６６号公報
【特許文献６】特開２００５−２９４２６４号公報
【発明の開示】
【発明が解決しようとする課題】
【００１０】
特許文献１及び特許文献２に開示されている技術によれば、水の電気分解反応を生じさせることで、アノード構成材料（例えば、カーボン等）の腐食反応を抑制できる。しかし、特許文献１及び特許文献２に開示されている技術は、燃料欠乏時の対策技術として、アノード側への対策を施すに留まっており、燃料欠乏時の対策として、アノード側のみならずカソード側にも対策を施す技術については開示も示唆もされていない。
【００１１】
本発明者は、燃料欠乏時の対策技術について鋭意研究を進め、以下の知見を得た。
１）アノード側へと供給される燃料（以下、「水素」という。）が不足すると、アノードが高電位状態に曝される。
２）アノード側の水素欠乏状態から復帰しアノード側へ水素が供給され始め、水素の入口付近にのみ水素が供給される状態になると、水素の出口付近（以下、「アノード出口付近」ということがある。）には未だ水素が行き渡っていないため、いわゆる部分電池が形成される。そうすると、電解質膜に対して、アノード出口付近に対応するカソード部位の電位が上昇し、カソードが高電位状態に曝される。
３）アノード側へ充分な量の水素が供給されるようになると、ＰＥＦＣでは上記式１及び式２で表わされる反応が生じ、アノード及びカソードの高電位状態が解消される。
【００１２】
特許文献１及び特許文献２に開示されている技術は、アノード側への対策技術であるため、上記１）の状態時におけるアノード構成材料の劣化は、抑制できる。しかし、上記２）については特許文献１及び特許文献２に何ら開示されていないため、上記２）に起因するカソード材料の劣化は防止できない。カソード材料が劣化すると、上記式２）の反応が起り難くなるため、燃料電池の性能が低下する。すなわち、特許文献１及び特許文献２に開示されている技術では、燃料欠乏に起因する性能低下を抑制し難いという問題があった。
【００１３】
また、特許文献３及至特許文献６にも、上記２）については何ら開示されていない。そのため、これらの技術によっては、上記２）に起因するカソード材料の劣化を防止し難いという問題があった。
【００１４】
ここで、燃料電池の作動中に、アノードへと供給される水素が不足し、アノードが水素欠状態になっても、燃料電池の動作環境は、通常、制御装置等を介して制御されている。そのため、やがて、アノードへと水素が供給され、燃料欠乏（以下、「水素欠」ということがある。）状態は解消される。すなわち、水素欠状態への対策としては、上記１）への対策のみでは不十分であり、上記１）及び上記２）への対策を施すことによって、水素欠に起因する燃料電池の性能低下を効果的に抑制することが初めて可能になる。
【００１５】
そこで本発明は、燃料欠乏に起因する性能低下を抑制し得る燃料電池を提供することを課題とする。
【課題を解決するための手段】
【００１６】
上記課題を解決するために、本発明は以下の手段をとる。すなわち、
本発明の要旨は、アノード及びカソードと、これらの間に配設される電解質膜と、を備え、アノード及びカソードに燃料欠乏対策が施されていることを特徴とする、燃料電池である。
【００１７】
ここで、アノードに施される燃料欠乏対策とは、アノードへと供給される水素が不足して水素欠状態となった時における、アノード構成材料の劣化を抑制するための方策を意味する。アノードに施される燃料欠乏対策の具体例としては、特許文献１に開示されている技術や特許文献２に開示されている技術等を挙げることができる。加えて、カソードに施される燃料欠乏対策とは、水素欠状態に陥ったアノードへ水素が復帰し始めてから水素欠状態が解消されるまでの間に、アノード出口付近に対応するカソード部位が高電位状態に曝された時における、カソード構成材料の劣化を抑制するための方策を意味する。カソードに施される燃料欠乏対策の具体例としては、水素欠からの復帰時以外の場合にカソードが高電位状態に曝された時の材料劣化対策として用いられるもの（例えば、高結晶化カーボンを担持体に用いる等）のほか、カソードの通常触媒として白金黒を用いる、カソード触媒層を多層構造（通常触媒を具備する層及び炭素に担持されたＩｒＯ２（以下、「ＩｒＯ２／Ｃ」という。）等を具備する層が備えられる構造）とする、等を挙げることができる。
【発明の効果】
【００１８】
本発明によれば、アノード及びカソードに燃料欠乏対策が施されている。そのため、アノードへと供給される水素が不足した場合であっても、アノード構成材料の劣化を防止できる。さらに、水素欠後にアノードへ水素が供給され、水素欠状態が完全に解消されるまでの間に、カソードが高電位状態に曝された場合であっても、カソード構成材料の劣化を防止できる。したがって、本発明によれば、燃料欠乏に起因する性能低下を抑制し得る燃料電池を提供できる。
【発明を実施するための最良の形態】
【００１９】
燃料電池のアノードへと供給される水素が欠乏すると、燃料電池の性能が低下する。かかる問題の解決方法として、これまでに、アノード側に水電解触媒が備えられる形態とする等の技術が提案されており、この技術によれば、アノード側の材料劣化等に起因する水素欠時の性能低下を抑制することが可能になる。ところが、本発明者らは、燃料電池の作動中、アノードへ水素が供給されることにより水素欠状態から回復する際に、カソードが高電位状態に曝され、燃料電池の性能が低下する虞があることを新たに知見した。上記従来技術はアノード側への対策に留まっており、水素欠状態からの復帰時にカソードが高電位状態に曝されることに起因する燃料電池の性能低下を防止できない。そのため、燃料電池の性能低下を抑制するには、アノード側への対策に加え、カソード側への対策が必要とされる。
【００２０】
本発明の理解を容易にするため、以下、図面を参照しつつ、燃料電池の通常作動時、水素欠時、及び、水素欠からの復帰時に生じ得る反応について説明する。
【００２１】
図４及び図５は、燃料電池の一部断面を概略的に示す図である。図４及び図５において、図の左右方向がセルの積層方向である。図４及び図５に例示した燃料電池は、反応ガスの供給状態が異なるのみで、部材構成は同一であると仮定する。図５の燃料電池では、破線よりも上側（以下、「上半分」ということがある。）に位置するアノード部位にのみ水素が供給され、破線よりも下側（以下、「下半分」ということがある。）に位置するアノード部位には水素が未だ到達していないものとする。以下、図４及び図５を参照しつつ、燃料電池が水素欠状態に陥った場合に生じ得る反応等について説明する。なお、図４及び図５にかかる燃料電池の構成について説明する際には、単に「図」とのみ表記する。
【００２２】
図に示すように、燃料電池５００（以下において、「セル５００」ということがある。）は、電解質膜５１と、当該電解質膜５１の一方の側へ配設されるアノード５２と、電解質膜５１の他方の側へ配設されるカソード５３と、アノード５２の外側へ配設されるセパレータ５６ａと、カソード５３の外側へ配設されるセパレータ５６ｂと、を備える。アノード５２には、通常触媒を含むアノード触媒層５２ａと、アノード触媒層５２ａへ水素を均一に供給可能とする等の理由で備えられるアノード拡散層５２ｂと、が備えられる。カソード５３には、通常触媒を含むカソード触媒層５３ａと、カソード触媒層５３ａへ反応ガス（以下、「空気」という。）を均一に供給可能とする等の理由で備えられるカソード拡散層５３ｂと、が備えられる。そして、ＭＥＡ５５には、電解質膜５１とアノード触媒層５２ａとカソード触媒層５３ａと、が備えられている。さらに、セパレータ５６ａのアノード拡散層５２ｂ側の面には反応ガス流路５７、５７、…が形成され、セパレータ５６ｂのカソード拡散層５３ｂ側の面には反応ガス流路５８、５８、…が形成されている。
【００２３】
図４に示す反応ガス流路５７、５７、…等を介してアノード触媒層５２ａへ十分な量の水素が供給されるとともに、反応ガス流路５８、５８、…等を介してカソード触媒層５３ａへ十分な量の空気が供給されている間は、アノード触媒層５２ａ内で上記式１の反応が、カソード触媒層５３ａ内で上記式２の反応が、それぞれ生じ、セパレータ５６ａ、５６ｂを介して電気エネルギーを取り出すことができる。
【００２４】
一方、図４に示すアノード触媒層５２ａへの水素の供給が途絶えると、アノード触媒層５２ａの通常触媒へ水素が供給されず、上記式１の反応が生じない。ところが、上述のように、燃料電池は、通常、スタック形態で使用される。そのため、スタックに含まれる一部のセルが発電不能の状態に陥っても、他のセルが発電可能な状態であれば、スタック全体から電気エネルギーを取り出すことができる。それゆえ、スタックの一部に発電不能状態のセルが含まれていても燃料電池の運転は継続され、かかる状態の燃料電池５００においてもアノード５２からカソード５３へ電子が移動する。
【００２５】
水素欠時のアノード５２では、以下の反応により、プロトン及び電子が生成される。
Ｈ２Ｏ → (１／２)Ｏ２ ＋ ２Ｈ＋ ＋ ２ｅ−                    （式３）
ここで、上記式３は、水の電気分解反応であり、アノード５２に水が存在する間は、当該反応によりプロトン及び電子が生成される。このほか、通常触媒の担体や拡散層の構成材料等としてアノードにカーボンが備えられる場合には、以下の反応によってプロトン及び電子が生成される。
(１／２Ｃ) ＋ Ｈ２Ｏ → (１／２)ＣＯ２ ＋ ２Ｈ＋ ＋ ２ｅ−    （式４）
【００２６】
上記式４は、カーボンの酸化反応であり、かかる反応が進むと、触媒を担持しているカーボンや拡散層に含まれるカーボン等が劣化する。水素欠状態下では、上記式３の反応とともに上記式４の反応が進行し得るので、アノードの材料劣化を抑制するには、上記式４の反応を抑制することが必要とされる。当該反応を抑制するための方策としては、例えば、「式３の反応を起りやすくすることで、式４においてカーボンと反応する水の量を低減する」という方法や、「アノードに含まれるカーボンを低減することで、式４の反応が生じる可能性を低減する」という方法等を、挙げることができる。前者の方法に対しては、アノードに水電解触媒を備える形態の燃料電池とすること等が有効であり、後者の方法に対しては、アノード拡散層をカーボン以外の高耐食性材料により形成すること等が有効である。
【００２７】
一方、水素欠状態にあったアノードに水素が供給され始めると、図５に示すアノード５２の上半分（以下、「アノード５２ｘ」という。）には水素が行き渡る一方、アノード５２の下半分（以下、「アノード５２ｙ」という。）には未だ水素が行き渡らない状態になる。かかる状態のセル５００では、水素が供給されているアノード５２ｘで上記式１の反応が生じる。当該反応で生じたプロトンは電解質膜５１を経て、電解質膜５１に対してアノード５２ｘと反対側に位置するカソード５３ｘへと達し、上記式１の反応で生じた電子はアノード５２ｙへと達する。そして、空気が供給されているカソード５３ｘにおいて、酸素と、アノード５２ｘより到達したプロトンと、電解質膜５１に対してアノード５２ｙと反対側に位置するカソード５３ｙより到達した電子と、が反応することにより、上記式２の反応が生じる。
【００２８】
これに対し、水素が行き渡っていないアノード５２ｙでは、水素欠状態の時に発生した酸素が存在すると考えられる。そのため、アノード５２ｙでは、上記式１の反応ではなく、残留酸素と、アノード５２ｘにおける上記式１の反応で生じた電子と、カソード５３ｙから到達するプロトンと、が反応することで水が生成される。アノード５２ｘ及びカソード５３ｘ、並びに、アノード５２ｙ及びカソード５３ｙでこのような反応が生じると、アノード５２ｘの電位が約０Ｖ、カソード５３ｘの電位が約０．８Ｖ、アノード５２ｙの電位が約０．８Ｖになるとともに、カソード５３ｙが約１．６Ｖの電位状態（高電位状態）に曝されると考えられる。高電位状態に曝されたカソード５３ｙで生じる反応については後述する。
【００２９】
このように、水素欠状態から復帰する時には、水素が行き渡っていないアノード部位付近に対応するカソード部位（上記カソード５３ｙに相当）の電位が上昇し、当該高電位状態に曝されたカソード部位の材料が劣化する。したがって、燃料欠乏時における燃料電池の材料劣化を抑制するには、アノード側のみならずカソード側にも対策を施すことが必要とされる。
【００３０】
本発明はかかる観点からなされたものであり、その要旨は、アノード側及びカソード側に燃料欠乏対策を施し、水素欠時におけるアノード材料の劣化、及び、水素欠からの復帰時におけるカソード材料の劣化を抑制することで、燃料欠乏に起因する性能低下を抑制し得る燃料電池を提供することにある。
【００３１】
以下、図面を参照しつつ、本発明の燃料電池について説明する。
【００３２】
図１は、第１実施形態にかかる本発明の燃料電池に備えられる単セル（以下、単に「燃料電池」という。）の一部構成例を概略的に示す断面図であり、図の左右方向が、セルの積層方向である。図１に示すように、本発明の燃料電池１００は、電解質成分（例えば、Ｎａｆｉｏｎ等。Ｎａｆｉｏｎは米国デュポン社の登録商標。以下、単に「電解質成分」という。）を備える電解質膜１と、当該電解質膜１の一方の側へ配設されるアノード２と、電解質膜１の他方の側へ配設されるカソード３と、アノード２の外側へ配設されるセパレータ６ａと、カソード３の外側へ配設されるセパレータ６ｂと、を備える。アノード２には、通常触媒及び電解質成分を含むアノード触媒層２ａと、アノード触媒層２ａへ反応ガスを均一に供給可能とする等の理由で備えられるアノード拡散層２ｂと、これらの間に配設される水電解触媒層２ｃと、が備えられる。カソード３には、高結晶化カーボンに通常触媒を担持したもの（以下、「高結晶化触媒」という。）と電解質成分とを含むカソード触媒層３ａと、カソード触媒層３ａへ反応ガスを均一に供給可能とする等の理由で備えられるカソード拡散層３ｂと、が備えられる。そして、ＭＥＡ５には、電解質膜１とアノード触媒層２ａとカソード触媒層３ａと、が備えられている。さらに、セパレータ６ａのアノード拡散層２ｂ側の面には反応ガス流路７、７、…が形成され、セパレータ６ｂのカソード拡散層３ｂ側の面には反応ガス流路８、８、…が形成されている。
【００３３】
本発明の燃料電池１００は、アノード２に水電解触媒層２ｃが、カソード触媒層３ａに高結晶化触媒が、それぞれ備えられている。ここで、水電解触媒層２ｃとは、通常触媒よりも水の電気分解反応を生じさせやすい触媒（水電解触媒）を含む層を意味し、水電解触媒層２ｃの形態例としては、電解質成分に水電解触媒を分散させることにより形成されるもの等を挙げることができる。通常触媒が白金である場合、水電解触媒層２ｃに備えられ得る水電解触媒の具体例としては、Ｉｒ、ＩｒＯ２等のＩｒ系材料や、ＲｕＯ２等のＲｕ系材料の他、これらの複合物等を挙げることができる。
【００３４】
したがって、アノード２への水素の供給が途絶え、アノード２が水素欠状態に陥っても、水電解触媒層２ｃに備えられる水電解触媒上で上記式３の反応を生じさせることができるので、アノード２の構成材料の劣化を抑制できる。さらに、水素欠状態からの復帰時にアノード２へ水素が供給され始め、カソード３の少なくとも一部が高電位状態に曝されたとしても、カソード触媒層３ａには腐食され難い高結晶化触媒が備えられているので、カソード３の構成材料の劣化を抑制できる。
【００３５】
図２は、第２実施形態にかかる本発明の燃料電池の一部構成例を概略的に示す断面図であり、図の左右方向が、セルの積層方向である。図２において、図１に示す部材と同様の構成を採るものには、図１にて使用した符号と同符号を付し、その説明を適宜省略する。
【００３６】
図２に示すように、本発明の燃料電池２００は、電解質膜１と、当該電解質膜１の一方の側へ配設されるアノード２と、電解質膜１の他方の側へ配設されるカソード２３と、アノード２の外側へ配設されるセパレータ６ａと、カソード２３の外側へ配設されるセパレータ６ｂと、を備える。燃料電池２００にかかるカソード２３には、通常触媒及び電解質成分を含むカソード触媒層２３ａと、カソード触媒層２３ａへ反応ガスを均一に供給可能とする等の理由で備えられるカソード拡散層３ｂと、これらの間に配設されるＩｒＯ２含有層２３ｃと、が備えられる。そして、ＭＥＡ２５には、電解質膜１と、アノード触媒層２ａと、カソード触媒層２３ａと、が備えられている。
【００３７】
第２実施形態にかかる燃料電池２００には、アノード２に水電解触媒層２ｃが、カソード２３にＩｒＯ２含有層２３ｃが、それぞれ備えられている。ここで、ＩｒＯ２含有層２３ｃ内のＩｒＯ２は、ＩｒＯ２／Ｃ等の形態で備えられることができる。第２実施形態にかかる燃料電池２００によれば、アノード２への水素の供給が途絶え、アノード２が水素欠状態に陥っても、水電解触媒層２ｃに備えられる水電解触媒上で上記式３の反応を生じさせることができるので、アノード２の構成材料の劣化を抑制できる。さらに、アノード２へ水素が供給され始め、カソード２３の少なくとも一部が高電位状態に曝されたとしても、カソード２３にはＩｒＯ２含有層２３ｃが備えられている。そのため、通常触媒よりも水の電気分解反応を生じさせやすいＩｒＯ２上で水の電気分解反応を生じさせることで、カソード２３の構成材料の劣化を抑制できる。
【００３８】
カソードにＩｒＯ２／Ｃが備えられる構成とすることで、カソードの構成材料の劣化を防止できる理由について、以下に説明する。
水素欠状態からの復帰時に高電位状態に曝されたカソードでは、以下の反応が生じる。
Ｈ２Ｏ → (１／２)Ｏ２ ＋ ２Ｈ＋ ＋ ２ｅ−                    （式５）
(１／２)Ｃ ＋ Ｈ２Ｏ → (１／２)ＣＯ２ ＋ ２Ｈ＋ ＋ ２ｅ−    （式６）
Ｐｔ → Ｐｔ２＋ ＋ ２ｅ−                                    （式７）
【００３９】
ＰＥＦＣの電解質膜は湿潤状態下でイオン伝導性能を発現するため、カソードには、加湿された空気が供給されている。また、燃料電池の通常作動時には、上記式２により水が生成される。それゆえ、セル内には通常、水が存在し、高電位状態に曝されたカソードでは、上記式５〜式７の反応が生じ得る。ここで、上記式６は、カーボンが水と反応する、カーボンの酸化反応であり、この反応が進むと、カソードに備えられるカーボン（例えば、通常触媒を担持している結晶性の低いカーボンや、カソード拡散層を構成するカーボン等）が劣化する。一方、上記式７は、白金の酸化反応であり、カチオン（Ｐｔ２＋）が水に溶出することにより進行する。上記式６または式７の反応が進むと、上記式２の反応が起こり難くなる。
【００４０】
上記式５は水の電気分解反応である。上記式６及び式７の反応よりも上記式５の反応を優先的に進行させることができれば、カーボンや白金の酸化反応よりも水の電気分解反応が優先的に進行するので、カソードの構成材料の劣化を抑制することができる。さらに、水の電気分解反応を優先的に進行させれば、式６においてカーボンと反応する水、及び、式７においてＰｔ２＋の溶出先である水、の絶対量を低減することができるので、これによっても、式６及び式７の反応を抑制し、カソードの構成材料の劣化を防止することができる。したがって、カソードにＩｒＯ２／Ｃが備えられる構成とすれば、カソードの材料劣化を抑制することができる。
【００４１】
このように、本発明の燃料電池２００によれば、アノードの構成材料のみならずカソードの構成材料の劣化をも抑制することができるので、水素欠に起因する燃料電池の性能低下を抑制することができる。
【００４２】
第２実施形態に関する上記説明では、カソード側の対策として、カソードに、カソード触媒層及びカソード拡散層に加えてＩｒＯ２含有層が備えられる形態を例示したが、本発明が採り得るカソード側の対策はこれに限定されない。カソードにＩｒＯ２／Ｃが備えられる形態とする場合、ＩｒＯ２／Ｃは、カソード触媒層に備えられていても良い。ただし、燃料電池の運転初期等に上記式２の反応を生じやすくする等の観点から、カソード触媒層とは異なる層（例えば、上記ＩｒＯ２含有層）にＩｒＯ２／Ｃが備えられる形態とすることが好ましい。このほか、例えば、カソード触媒層にカーボンが備えられない形態とすれば、カソード触媒層における上記式６の反応を防止できるため、カソードの材料劣化を抑制できる。ここで、カソード触媒層にカーボンが備えられない形態の具体例としては、粒径０．３〜１００ｎｍ、好ましくは５〜１０ｎｍ程度の白金黒粉末（Ｐｔ ｂｌａｃｋ）と電解質成分とを含む構成や、前記Ｐｔ ｂｌａｃｋに代えてＰｔＲｕ ｂｌａｃｋを備える構成等を挙げることができる。上記粒径の粉末であれば、従来型のＰＥＦＣに使用されていた白金よりも粒径が大きいため、表面エネルギーが小さく、溶出及び凝集を抑制できる。当該形態のカソード触媒層は、溶解又は溶融状態の電解質成分へ上記Ｐｔ ｂｌａｃｋやＰｔＲｕ ｂｌａｃｋを分散させて乾燥又は冷却する等の方法により作製することができる。
【００４３】
なお、本発明にかかる燃料電池のカソードに、ＩｒＯ２／Ｃが備えられる場合、その分散形態は特に限定されるものではない。ここで、水素欠状態から復帰する時には、アノードの入口側から水素が供給され始めるため、水素が行き渡るまでの時間が最も長くなるのはアノードの出口である。すなわち、水素欠状態からの復帰時に、高電位状態に曝される時間が最も長くなるカソード部位は、アノードの出口付近に対応したカソード部位であるため、アノードの出口に近づいたカソード部位ほど材料が劣化しやすいと考えられる。そこで本発明の燃料電池では、アノードの出口付近に対応したカソード部位の材料劣化をより一層効果的に抑制する等の観点から、アノードの出口付近に対応したカソード部位ほどＩｒＯ２／Ｃ触媒の濃度が高くなるようにＩｒＯ２／Ｃが分散される形態とすることも可能である。また、担体のカーボンの結晶性を変化させることも有効である。
【００４４】
また、上述のように、水素欠状態から復帰する際に、セルの下半分（セル５００ｙ）が一つの抵抗体として作用するため、水素が供給されているアノード部位（アノード５２ｘ）で発生した電子が、上記アノード５２ｙへと移動する虞（セルの積層方向を法線方向とする面と平行な方向へ移動する虞）がある。このほか、高電位状態に曝されたカソード部位（カソード５３ｙ）で発生した電子が、上記カソード５３ｘへと移動する虞（セルの積層方向を法線方向とする面と平行な方向（以下、「面方向」という。）へ移動する虞）がある。電子が面方向へ移動（以下、「面内移動」という。）すると、燃料電池から取り出し得る電気エネルギーが低下するため、燃料電池の性能が低下する。したがって、燃料欠乏に起因する性能低下を抑制するという観点からは、電子の上記面内移動を防止することが有効である。電子の面内移動を防止する方策の具体例としては、上記面方向への電子の移動を防止する機能を具備するセパレータや拡散層や触媒層を備える形態の燃料電池とする、等を挙げることができる。
【００４５】
また、本発明に関する上記説明では、アノードに水電解触媒層が備えられる形態を例示したが、本発明の燃料電池で採用し得るアノード側の燃料欠乏対策は、これに限定されない。アノードに水電解触媒が備えられる形態とする場合、当該水電解触媒は、アノード触媒層に備えられていても良い。このほか、水電解触媒が備えられない形態であっても、例えば、アノードに備えられるカーボンを結晶性の高いカーボンとすれば、アノードに備えられるカーボンの耐食性が向上するので、アノードの材料劣化を抑制できる。
【実施例】
【００４６】
以下、実施例を参照しつつ、本発明の燃料電池についてさらに具体的に説明する。
【００４７】
１．燃料電池の作製
電解質成分（例えば、Ｎａｆｉｏｎ）を、有機溶媒（水とメタノールと２−プロパノールとの混合液）に溶解させ、溶解した電解質成分（以下、「第１の電解質成分」という。）に白金担持カーボンを分散させることによりペースト状の触媒層（以下、「第１の触媒層」という。）を作製した。また、電解質成分を、水系溶媒（実質的に水のみを含有するもの）に溶解させ、溶解した電解質成分に白金黒粉末を分散させることによりペースト状の触媒層（以下、「第２の触媒層」という。）を作製した。その後、電解質膜（Ｎａｆｉｏｎ１１２（デュポン社製））の一方の面に上記第１の触媒層を塗布し乾燥させることによりアノード触媒層を形成した。さらに、第２の触媒層を上記電解質膜の他方の面に塗布し乾燥させることによりカソード触媒層を形成し、実施例にかかるＭＥＡを作製した。なお、比較例にかかるＭＥＡは、上記電解質膜の両面に第１の触媒層を塗布し乾燥させることにより作製した。
【００４８】
さらに、上記第１の電解質成分にＩｒ／Ｃを分散させたペースト状の水電解触媒層を、炭素繊維からなるカーボンペーパーにより構成されるアノード拡散層の表面へ塗布し乾燥させることにより、水電解触媒層を形成させた。このようにして得られた水電解触媒層付きアノード拡散層と、実施例にかかるＭＥＡのアノード触媒層とを接合させるとともに、炭素繊維からなるカーボンペーパーにより構成されるカソード拡散層（以下において、単に「カソード拡散層」という。）と、実施例にかかるＭＥＡのカソード触媒層とを接合させることにより、実施例にかかる接合体を作製した。そして、当該接合体の両側（アノード拡散層及びカソード拡散層の外側。以下において同じ。）へ、反応ガス流路が形成されたセパレータを配設することにより、実施例にかかる燃料電池を作製した。
一方、上記水電解触媒層付きアノード拡散層と、比較例にかかるＭＥＡのアノード触媒層とを接合させるとともに、カソード拡散層と、比較例にかかるＭＥＡのカソード触媒層とを接合させることにより、比較例にかかる接合体を作製した。そして、当該接合体の両側へ、反応ガス流路が形成されたセパレータを配設することにより、比較例にかかる燃料電池を作製した。
すなわち、実施例にかかる燃料電池は、アノード側の燃料欠乏対策として水電解触媒層を備えるとともに、カソード側の燃料欠乏対策として担体カーボンを備えない触媒を具備する構成とした。一方、比較例にかかる燃料電池は、アノード側の燃料欠乏対策として水電解触媒層が備えられ、カソード側には燃料欠乏対策が施されていない構成とした。
【００４９】
２．水素欠試験
このようにして作製した実施例及び比較例にかかる燃料電池を７０℃に維持し、カソード側にはフル加湿の空気の供給を継続した。そして、水素欠状態模擬時には電流密度を０．２Ａ／ｃｍ２とし、アノードにフル加湿の窒素を供給する状態を１０分間に亘って保持した後、電流密度を０Ａ／ｃｍ２とし、その後、アノードへフル加湿の水素を供給してＯＣＶを通常時の値まで復帰させるサイクル（以下、「水素欠サイクル」という。）を繰り返し、カソードに含まれる触媒の劣化を調べた。触媒の劣化は、水素欠サイクル後における触媒のサイクリックボルタモグラムの水素脱離電気量から触媒の有効表面積Ｓ１を求め、水素欠サイクルを実施する前の当該有効表面積Ｓ２との比（Ｒ＝Ｓ１／Ｓ２。以下、Ｒを「カソード触媒有効表面積維持率」という。）により評価した。図３に、評価結果を示す。図３の横軸は水素欠サイクル数、同縦軸はカソード触媒有効表面積維持率である。カソード触媒有効表面積維持率が高いほど、カソードに含まれる触媒が劣化していないことを意味し、当該カソード触媒有効表面積維持率が高ければ、水素欠による性能低下を抑制し得る燃料電池であるとみなすることができる。
【００５０】
３．結果
図３に示すように、アノード側及びカソード側に燃料欠乏対策を施した実施例にかかる燃料電池は、アノード側のみに燃料欠乏対策を施した比較例にかかる燃料電池よりも、カソード触媒有効表面積維持率が１に近い値となった。したがって、アノード側及びカソード側に燃料欠乏対策を施す本発明の燃料電池によれば、水素欠状態からの復帰時にカソードが高電位状態に曝されても当該高電位状態下における材料劣化を抑制することができるので、燃料欠乏に起因する性能低下を抑制できることが確認された。
【図面の簡単な説明】
【００５１】
【図１】第１実施形態にかかる本発明の燃料電池の一部構成例を概略的に示す断面図である。
【図２】第２実施形態にかかる本発明の燃料電池の一部構成例を概略的に示す断面図である。
【図３】水素欠試験結果を示す図である。
【図４】燃料電池の一部断面を示す図である。
【図５】燃料電池の一部断面を示す図である。
【符号の説明】
【００５２】
１  電解質膜
２  アノード
２ａ  アノード触媒層
２ｂ  アノード拡散層
２ｃ  水電解触媒層
３、２３  カソード
３ａ、２３ａ  カソード触媒層
３ｂ  カソード拡散層
５、２５  ＭＥＡ
２３ｃ  ＩｒＯ２含有層
１００、２００  燃料電池
【図１】
0005151061.tif 000002
【図２】
0005151061.tif 000003
【図３】
0005151061.tif 000004
【図４】
0005151061.tif 000005
【図５】
0005151061.tif 000006